(57)【要約】      （修正有）【課題】レンズ構成が簡易でコンパクトでありながら2倍程度のズーム比を有し、広角端における半画角が55°以上の超広角を有し、前玉径の小型を図つつ全長を短縮する事により、携帯性に優れたズームレンズを提供する。【解決手段】物体側より負、負、正、負、正の５群からなり、各群の空気間隔を変化させる事により変倍を行うズームレンズ系において、広角端から望遠端へのズーミング中第1群は像面に対して固定し、第２群と第３群の間隔は減少と共に以下の条件式を満足する事を特徴とするズームレンズ。２．０＜ｆ５／（ｆｗ×ｔanωW）＜５．０・・・（１）、−１．０＜ｆ１／ｆ５＜−０．４・・・（２）、ｆｗ：広角端における前系の焦点距離、ｆｔ：望遠端における前系の焦点距離、ｆ１：第1群の焦点距離、ｆ５：第５群の焦点距離、ωW：広角端における半画角（度）【選択図】図１
2016191754.tif 000002
【特許請求の範囲】
【請求項１】
物体側より負、負、正、負、正の５群からなり、各群の空気間隔を変化させる事により変倍を行うズームレンズ系において、 
広角端から望遠端へのズーミング中第1群は像面に対して固定し、
第２群と第３群の間隔は減少と共に以下の条件式を満足することを特徴とするズームレンズ。
２．０＜ｆ５／（ｆｗ×ｔanωW）＜５．０     ・・・（１）
−１．０＜ｆ１／ｆ５＜−０．４             ・・・（２）
ｆｗ：広角端における前系の焦点距離
ｆｔ：望遠端における前系の焦点距離
ｆ１：第1群の焦点距離
ｆ５：第５群の焦点距離
ωW：広角端における半画角（度）
【請求項２】
前記レンズ系において前記第１群は物体側より順に負レンズ、負レンズ、正レンズの３枚のレンズにて構成されることを特徴とする請求項１に記載のズームレンズ。
【請求項３】
前記レンズ系において前記第１群は物体側より順に負レンズ、負レンズ、正レンズの３枚のレンズにて構成されると共に以下の条件式を満足することを特徴とする請求項１又は請求項２に記載のズームレンズ。
−３．０＜ｆ１／ （ｆｗ×ｔanωW） ＜−１．５     ・・・（３）
０．２＜ｆ１／ｆ２＜０．５                  ・・・・・・（４）
ｆ２：第２群の焦点距離
【請求項４】
前記レンズ系において以下の条件式を満足する請求項１乃至請求項３の何れか一項に記載のズームレンズ。
−０．１＜ｄ２ｗ／ｆ２＜−０．０１      ・・・・（５）
ｄ２Ｗ：広角端における第２群と第３群の空気間隔
【請求項５】
前記レンズ系において前記第２群は物体側より負レンズ、正レンズの２枚のレンズにて構成されると共に以下の条件式を満足する特徴とする請求項１乃至請求項４の何れか一項に記載のズームレンズ。
８  ＜Ｒ２２２／ｆＷ＜  １５       ・・・（６）
Ｒ２２２：第２群中の負レンズの像側曲率半径
【請求項６】
前記レンズ系において広角端から望遠端へのズーミング中第２群は像側へ凸の軌跡を有すると共に、第３群は物体側へ移動し、第４群は物体側へ移動し、第５群は微小量像側へ移動する軌跡を有する事を特徴とする請求項１乃至請求項５の何れか一項に記載のズームレンズ。
【請求項７】
前記レンズ系において前記第３群中に絞りを有すると共に、前記第４群は負の単レンズで構成される事を特徴とする請求項１乃至請求項６の何れか一項に記載のズームレンズ。
【発明の詳細な説明】
【技術分野】
【０００１】
本発明は、レンズ交換式デジタルスチルカメラ等に好適な小型で超広画角のズームレンズに関し、特に所定の変倍比を確保すると共に、レンズ全長の短縮化を図った携帯性に優れたズームレンズに関する。
【背景技術】
【０００２】
近年、固体撮像素子を用いたデジタルスチルカメラ、等の撮像装置においては、高機能化とともに装置全体の小型化がなされている。また近年レンズ交換式のデジタルカメラにおいては、光学ファインダーの廃止に伴い交換レンズのフランジバックを短くしたクイックリターンミラーを有さないデジタルカメラのジャンルが出現している。
【０００３】
そしてそれに伴って、これらに用いる広角系の撮影光学系としては、レンズ全長が短くコンパクトでしかも高性能のズームレンズが要求されている。
【０００４】
物体側より像側へ順に、負、負、正、負、正の屈折力の５つのレンズ群より成り、各レンズ群を移動させてズーミングを行う５群ズームレンズにおいて第１群が正、負、正の３枚にて構成された、ズームレンズが知られている（特許文献１）。特許文献１においては、物体側より像側へ順に、負、負、正、負、正の屈折力の５つのレンズ群より成り、各レンズ群を移動させてズーミングを行う５群ズームレンズにおいて第１群が正、負、正の３枚にて構成されたレンズが開示されている。
【０００５】
また、物体側より像側へ順に、負、負、正、負、正の屈折力の５つのレンズ群より成り、各レンズ群を移動させてズーミングを行う５群ズームレンズにおいて第１群が負、正の２枚にて構成された、ズームレンズが知られている（特許文献２）。特許文献２においては、物体側より像側へ順に、負、負、正、負、正の屈折力の５つのレンズ群より成り、各レンズ群を移動させてズーミングを行う５群ズームレンズにおいて第１群が負、正の２枚にて構成されたレンズが開示されている。
【先行技術文献】
【特許文献】
【０００６】
【特許文献１】特開平４−１１６６１３号公報
【特許文献２】特開２０１０−２１１０５６号公報
【発明の概要】
【発明が解決しようとする課題】
【０００７】
近年、レンズ交換式のデジタルカメラにおいては、光学ファインダーの廃止に伴い交換レンズのフランジバックを短くしたクイックリターンミラーを有さないデジタルカメラのジャンルが出現している。これらのジャンルの広角レンズにおいては、従来の超広角ズームより更に広画角を有しレンズ全長、前玉径の小型化を図り２倍程度の変倍比を有する超広角ズームレンズが期待されている。しかしながら、同様の屈折力配置において本件所望の５５度以上の超広角に対応しようとすると、レンズ系全体が大型化するという問題があった。
【０００８】
一般に、ズームレンズを構成する各レンズ群のレンズ枚数が多いと、各レンズ群の光軸上の長さが長くなる。又、各レンズ群のズーミング及びフォーカシングにおける移動量が大きいとレンズ全長が長くなる。
【０００９】
前述した撮像装置に用いる交換式ズームレンズでは、レンズ系全体の小型化を図って且つ所定の画角、ズーム比を有しつつ、全ズーム範囲にわたり良好なる光学性能を有していることが重要である。
【００１０】
このためには、ズーミングに伴う各レンズ群の移動条件や各レンズ群の屈折力、各レンズ群のレンズ構成等を適切に設定する必要がある。例えばズームレンズの小型化に関しては、各レンズ群の屈折力を強めればズーミングにおける各レンズ群の移動量が少なくなり、レンズ全長の短縮化が可能となる。
【００１１】
しかしながら、各レンズ群の屈折力を単に強めるとズーミングに伴う収差変動が大きくなり、これを良好に補正するのが難しくなってくる。
【００１２】
本発明は、レンズ構成が簡易でコンパクトでありながら２倍程度のズーム比を有し、広角端における半画角が５５°以上の超広角を有するズームレンズ、そして全ズーム領域にわたり高い光学性能を達成し、前玉径の小型化を図り、レンズ枚数が少なくかつ全長を短縮することにより、携帯性に優れたズームレンズを提供することを目的とする。
【課題を解決するための手段】
【００１３】
上記の目的を達成するために、本発明は、物体側より負、負、正、負、正の５群からなり、各群の空気間隔を変化させる事により変倍を行うズームレンズ系において、広角端から望遠端へのズーミング中第1群は像面に対して固定し、第２群と第３群の間隔は減少すると共に以下の条件式を満足することを特徴とする。 
【００１４】
２．０＜ｆ５／（ｆｗ×ｔanωW）＜５．０         ・・・（１）
−１．０＜ｆ１／ｆ５＜−０．４                  ・・・（２）
ｆｗ：広角端における前系の焦点距離
ｆ１：第1群の焦点距離
ｆ５：第５群の焦点距離
ωW：広角端における半画角（度）
更にＢｅｓｔｍｏｄｅに近づける為には以下の条件を満足する事が望ましい。
【００１５】
前記レンズ系において前記第１群は物体側より順に負レンズ、負レンズ、正レンズの３枚のレンズにて構成されることである。
【００１６】
また、前記レンズ系において前記第１群は物体側より順に負レンズ、負レンズ、正レンズの３枚のレンズにて構成されると共に以下の条件式を満足することである。 
【００１７】
−３．０＜ｆ１／ （ｆｗ×ｔanωW） ＜−１．５     ・・・（３）
０．２＜ｆ１／ｆ２＜０．５                  ・・・・・・（４）
ｆ２：第２群の焦点距離
また、前記レンズ系において以下の条件式を満足することである。 
【００１８】
−０．１＜ｄ２ｗ／ｆ２＜−０．０１              ・・・・（５）
ｄ２Ｗ：広角端における第２群と第３群の空気間隔
また、前記レンズ系において前記第２群は物体側より負レンズ、正レンズの２枚のレンズにて構成されると共に以下の条件式を満足することである。 
【００１９】
８  ＜Ｒ２２２／ｆＷ＜  １５                     ・・・（６）
Ｒ２２２：第２群中の負レンズの像側曲率半径
また、前記レンズ系において広角端から望遠端へのズーミング中第２群は像側へ凸の軌跡を有すると共に、第３群は物体側へ移動し、第４群は物体側へ移動し、第５群は微小量像側へ移動する軌跡を有することである。
【００２０】
また、前記レンズ系において前記第３群中に絞りを有すると共に、前記第４群は負の単レンズで構成されることである。
【発明の効果】
【００２１】
本発明によれば、前述の構成により従来の負、負、正、負、正の５群、レンズを更に改良し、各群の屈折力配置、各群のレンズ構成、非球面の位置、移動方法、硝材使用法を最適に配置し、レンズ枚数の削減が計られた。レンズ全長の短縮化を達成したにもかかわらず、レンズ構成が簡易で２倍程度のズーム比を有し、広角端における半画角が５５°以上の超広角を有し、前玉径の小型を図った、携帯性に優れたズームレンズの提供を実現できる。
【図面の簡単な説明】
【００２２】
【図１】実施例１レンズ断面図
【図２】実施例２レンズ断面図
【図３】実施例３レンズ断面図
【図４Ａ】実施例１の広角端の縦収差図（収差図中、ｄはｄ線、ｇはｇ線、△Ｍはメリディオナル像面）
【図４Ｂ】実施例１の中間の縦収差図
【図４Ｃ】実施例１の望遠端の縦収差図
【図５Ａ】実施例２の広角端の縦収差図（収差図中、ｄはｄ線、ｇはｇ線、△Ｍはメリディオナル像面）
【図５Ｂ】実施例２の中間の縦収差図
【図５Ｃ】実施例２の望遠端の縦収差図
【図６Ａ】実施例３の広角端の縦収差図（収差図中、ｄはｄ線、ｇはｇ線、△Ｍはメリディオナル像面）
【図６Ｂ】実施例３の中間の縦収差図
【図６Ｃ】実施例３の望遠端の縦収差図
【発明を実施するための形態】
【００２３】
以下、本発明を実施するための形態を図面に基づいて説明する。
【００２４】
本発明においては、ズームレンズＬは、物体側より順に負の第１群Ｌ１、負の第２群Ｌ２、正の第３群Ｌ３、負の第４群Ｌ４、正の第５群Ｌ５よりなり、各群の空気間隔変化によって変倍を行う構成としている。該ズームレンズにおいて、広角端 より望遠端 へのズーミングに際し、第1群は固定し少なくとも第２〜４群が移動する。２,３群の空気間隔 が減少し、３,４群の空気間隔 が変化し、第４、５群の空気間隔が増大する。
【００２５】
本発明の実施形態では、２倍程度の変倍比を有しつつ各レンズ群における構成を超広角の所望の仕様を有しつつ良好な収差補正が行える範囲において最小のレンズ枚数としている。
【００２６】
一般にズームレンズ系において半画角55度以上の超広角域を有するレンズ系では前玉径が大型化する傾向がある。更に第1群を移動とした場合第1群を移動させる為のメカ機構を第1群に外周部外側に配置する必要があり、鏡筒径は前玉径より更に一回り大きくなってしまうという問題がある。
【００２７】
本発明は第1群を固定とする事により第1群外周部のメカ機構を不要とし鏡筒径の小型化が出来る構成としている。
【００２８】
更に、第１群と第5群の焦点距離を適切に設定する事により、前玉径と光学全長の小型化を図っている。即ち、第５群の焦点距離を適切に設定する事によりレトロ比を強め全長の短縮化を図っている。そして、第１群の焦点距離を適切に設定する事で広角域で良好な収差補正を可能にしつつ広角域の画角を確保している。
【００２９】
又第1群のレンズ構成を物体側より負レンズ、負レンズ、正レンズの３枚構成とする事で、入射瞳位置を前方に設定出来る為、前玉径の小型化を図りつつ、広角域周辺のコマフレア−を良好に補正している。
【００３０】
前記第１群は物体側より物側凸面のメニスカス状の負の１1レンズ、物側凸面のメニスカス状の負の１２レンズ、物側凸のメニスカス状の正の１３レンズの3枚のレンズにて構成している。前記１１レンズ若しくは１２レンズに非球面を有し、広角域における歪曲収差を補正している。
【００３１】
また、前記第２群は両凹の負の２１レンズ、物体側の曲率が強い正の２２レンズの２枚にて構成している。
【００３２】
前記第３群は、物体側より物体側の曲率が強い凸面の正の３1レンズ、像側が強い凹面の負の３２レンズと正の３３レンズを接合した接合レンズを有する。第３群全体として３〜４枚のレンズで構成され、絞りは第３群中若しくは第３群の物体側に配され、ズーミング中第３群と一体で移動する。
【００３３】
前記第４群は、像側が凹面の負の単レンズにて構成する事によりフォーカス群を軽量化し高速なフォーカス駆動を可能にしている。
【００３４】
前記第５群は、正レンズ２枚、負レンズ１枚を含む３枚のレンズにて構成されかつ１面の非球面を含む。
【００３５】
本発明においては、ωが５５°以上の超広画角を有しつつ前玉径の大型化を避けるための負群が先行する多群ズームタイプを採用している。
【００３６】
簡易な構成で所望の２倍程度の変倍比を確保する為に負、負、正、負、正の５群タイプを採用しているが、静止画時のフォ-カス駆動の高速化や、動画時のウォブリングを考慮しフォーカス群である第４群を軽量化している。
【００３７】
軽量化の為に第４群は単レンズで構成している関係で、第４群のパワーを緩く設定している為、第５群では変倍作用は期待出来ない。そこで本発明の構成においては、第３群で主たる変倍を担い、第１群〜第４群全体では正のPowerを有する群構成としている。
【００３８】
又超広角域を有しつつ、レンズ全長を短縮化する為に更に像側に配される正の第5群は適度に強いPowerを有する構成としている。即ち第5レンズ群の焦点距離は
２．０  ＜  ｆ５／（ｆｗ×tanωW）  ＜５．０    ・・（１）
を満足させる様に設定すると良い。
【００３９】
又第３群を主変倍とする為、所望の変倍比を確保する為には広角端で第２群と
第３群の空気間隔をある程度あける必要がある。この為、前玉径の小型化の為には、第１群、第２群のレンズ枚数を削減すると共に、第１群のPowerを適度に強く設定する事が望ましい。
【００４０】
よって、第１群と第５群は共に適度に強いPowerを有する事が望ましく、該両群の焦点距離は
−１．０＜ｆ１／ｆ５＜−０．４    ・・（２）
なる条件式を満足すると良い。
【００４１】
超広角域を含む画角をカバーする為には、絞りから一定距離離れた第１群の径が大型化する傾向がある。そこで、第１群のレンズ構成は物体側に負レンズを複数配置する、負レンズ、負レンズ、正レンズの３枚構成とする事で、入射瞳位置をレンズ前面に近くして前玉径の小型化を図っている。
【００４２】
又前玉径の小型化の為には、第１群、第２群のレンズ枚数を削減すると共に、第１群のPowerを適度に強く設定している。
【００４３】
第１群は広角域周辺部のコマフレアーを良好に補正する為３枚のレンズを必要とする故、第１群〜第２群のＴｏｔａｌ枚数を削減する為、第２群は色収差が補正出来る最小枚数の２枚構成としている。
【００４４】
第２群は構成枚数が少なくなる為、ズーミングの像面変動を良好に補正する為には、第２群のPowerは第２群より緩く設定している。即ち
−３．０＜ｆ１／（ｆｗ×tanωW）＜−１．５      ・・（３）
０．２＜ｆ１／ｆ２＜０．５                      ・・（４）
を満足させると良い。
【００４５】
更に望ましくは
−０．１＜ｄ２ｗ／ｆ２＜−０．０１                ・・（５）
を満足させると良い。
【００４６】
前述の如く本発明では第３群を主変倍とする為、所望の変倍比を確保する為には広角端で第２群と第３群の空気間隔をある程度あける必要がある。この為、前玉径の小型化の為に第２群powerを（４）式を満足する程度に設定すると共に（５）式を満足する程度の空気間隔を設定する事が望ましい。
【００４７】
第１群はズーミング中固定の為、ズーム中間の収差変動を良好に補正する為には第２群の形状を適切に設定すると良い。第２群中の負レンズの像側面の曲率半径は
８＜Ｒ２２２／ｆｗ＜１５  ・・・（６）
を満足させる事によりズーム中間のコマフレアー、像面変動を良好に補正する事が出来る。
【００４８】
この様に、第３群は比較的緩く第1群~第４群の合成のPowerは正となり第５群の変倍効果は期待出来ないので、前系のズーミング中の収差変動を抑える為には、広角端から望遠端へのズーミング中、前記３群と第４群の間隔は微小間隔変化し、前記第４群と第５群の間隔は増大する構成とし、第５群の移動は微小量とするか固定とする事が望ましい。 
【００４９】
次に各条件式の意味について説明する。
【００５０】
（１）式は第５群の焦点距離を広角端における全系の焦点距離と広角端における画角のTanの積で規格化したもので、（１）式の上限値を超えて第５群の焦点距離が長くなり過ぎると、レンズ全長が増大してくるので良くない。（１）式の下限値を超えて第５群の焦点距離が短くなり過ぎると、望遠域における歪曲収差の補正が困難となってくるので良くない。
【００５１】
（２）式は第１群の焦点距離と第５群の焦点距離の比に関するもので、（２）式の上限値を超えて第５群の焦点距離が長くなり過ぎると、レンズ全長が増大してくるので良くない。（２）式の下限値を超えて第１群の焦点距離が長くなり過ぎると、前玉径が増大して全系が大型化してくるので良くない。
【００５２】
（３）式は第1群の焦点距離を全系の焦点距離と広角端における画角のTanの積で規格化したもので、（３）式の上限値を超えて第1群の焦点距離が短くなりすぎると広角域における画面周辺部のコマフレアーを補正する事が困難となってくる。（３）式の下限値を超えて第1群の焦点距離が長くなり過ぎると広角端におけるレンズ全長が増大し、前玉径が大型化してくるので良くない。
【００５３】
（４）式は第１群と第2群の焦点距離の比に関するもので、（４）式の上限値を超えて第1群の焦点距離が短くなりすぎると広角域における画面周辺部のコマフレアーを補正する事が困難となってくる。
（４）式の下限値を超えて第1群の焦点距離が長くなり過ぎると広角域における軸外光束が第1群を通る高さが高くなるため、前玉径が増大してくる。
【００５４】
（５）式は広角端における第２群と第３群の空気間隔を第２群の焦点距離で規格化したもので、（５）式の上限値を超え第２群と第３群の空気間隔が小さくなり過ぎると所望の変倍比を得る為に各群のPowerを強める必要が生じ広角域における軸外コマフレアー及び、望遠域における球面収差を補正する事が困難となってくる。（５）式の下限値を超えて第２群と第３群の空気間隔が大きくなり過ぎると軸外光束が第1群を通る高さが高くなるため、前玉径が増大してくる。
【００５５】
（６）式は第２群中の負レンズの像側面の曲率半径を広角端の焦点距離で規格化したもので、（６）式の上限値を超え第２群中の負レンズの像側面の曲率半径が大きくなり過ぎると、ズーミングの像面変動を良好に補正する事が困難となってくる。（６）式の上限値を超え第２群中の負レンズの像側面の曲率半径が小さくなり過ぎると、広角域周辺部のコマフレアーを良好に補正する事が困難となってくる。
【００５６】
本発明の目的をより最良に近づける為には以下の条件を満足すると更に良い。
【００５７】
２．７＜ｆ５／（ｆｗ×ｔanωW）＜３．５       ・・・（１）
−０．９＜ｆ１／ｆ５＜−０．５              ・・・（２）
２．４＜ｆ１／ （ｆｗ×ｔanωW） ＜−１．８     ・・（３）
０．２５＜ｆ１／ｆ２＜０．３５                  ・・（４）
−０．０６＜ｄ２ｗ／ｆ２＜−０．０２      ・・・・（５）
９  ＜Ｒ２２２／ｆＷ＜  １３       ・・・（６）
（数値実施例１）
単位 mm
面データ
面番号       r        d      nd         vd
1         48.256    2.27   1.80400    46.6           
2         22.426    7.44                             
3*        40.450    2.14   1.85135    40.1           
4*        11.411    6.10                             
5         23.322    5.80   1.85478    24.8           
6         90.399  (可変)                             
7*       -72.812    1.32   1.49700    81.5           
8         53.323    0.33                             
9         58.564    3.00   1.85478    24.8           
10        101.142  (可変)                             
11*        27.383    2.50   1.85135    40.1           
12       -355.707    2.38                             
13(絞り)    ∞       2.51                             
14       -335.821    0.88   1.80610    33.3           
15         10.374    2.95   1.59282    68.6           
16        -30.650    1.50                             
17         -7.819    1.00   1.74950    35.3           
18         -9.123    0.20                             
19        106.881    3.00   1.48749    70.2           
20        -14.060  (可変)                             
21         48.901    1.01   1.60311    60.6           
22         18.371  (可変)                             
23         54.358    2.50   1.69680    55.5           
24        260.331    1.43                             
25       -180.078    1.20   1.80518    25.4           
26        297.117    4.00   1.55332    71.7           
27*       -28.568  (可変)                             
像面        ∞   
非球面データ
第3面
K = 2.31034e+000  A 4=-1.47577e-005  A 6= 3.80619e-008  A 8=-1.40699e-010  A10= 1.07383e-013  
第4面
K =-5.31210e-001  A 4=-4.69207e-005  A 6= 8.87716e-008  A 8=-1.06887e-009  A10= 2.56356e-012  A12=-8.93228e-015  
第7面
K =-1.75380e+001  A 4=-6.19226e-006  A 6=-1.18636e-008  A 8= 2.83220e-011  
第11面
K =-6.46463e+000  A 4= 2.31456e-005  
第27面
K =-2.12370e+001  A 4=-4.19232e-005  A 6= 1.27881e-007  A 8= 1.97049e-009  A10=-1.85131e-011  A12= 4.65024e-014  
各種データ
ズーム比      1.90 
広角     中間     望遠
焦点距離       9.22    13.68    17.50  
Fナンバー      3.37     4.10     4.63  
画角          55.92    44.89    37.92  
像高          13.63    13.63    13.63  
レンズ全長    98.32    98.32    98.32  
BF            14.41    13.14    13.22  
d 6            3.57     9.17     3.57  
d10           18.63     4.05     2.48  
d20            1.83     4.03     3.84  
d22            4.42    12.46    19.74  
d27           14.41    13.14    13.22  
ズームレンズ群データ
群  始面    焦点距離  
1    1     -28.35  
2    7     -99.92  
3   11      20.55  
4   21     -49.40  
5   23      42.65  
（数値実施例２）
単位 mm
面データ
面番号       r        d      nd         vd
1         49.114    2.27   1.80400    46.6           
2         21.231    7.49                             
3*        40.417    2.14   1.85135    40.1           
4*        11.393    6.04                             
5         23.146    5.80   1.85478    24.8           
6         97.915  (可変)                             
7*       -73.130    1.32   1.49700    81.5           
8         56.289    0.33                             
9         62.321    3.00   1.85478    24.8           
10        104.719  (可変)                             
11*        27.975    2.50   1.85135    40.1           
12      -2758.301    2.38                             
13(絞り)    ∞       2.51                             
14        513.583    0.88   1.80610    33.3           
15         10.503    2.95   1.59282    68.6           
16        -36.132    1.50                             
17         -7.859    1.00   1.74950    35.3           
18         -9.148    0.20                             
19        129.339    3.00   1.48749    70.2           
20        -14.144  (可変)                             
21         40.456    1.01   1.60311    60.6           
22         20.199  (可変)                             
23        -88.499    1.20   1.80518    25.4           
24       -601.366    3.14   1.55332    71.7           
25*       -24.845    0.30                             
26        -76.000    2.30   1.69680    55.5           
27        -44.789  (可変)                             
像面        ∞   
非球面データ
第3面
K = 2.36769e+000  A 4=-1.49351e-005  A 6= 3.84243e-008  A 8=-1.38680e-010  A10= 1.03195e-013  
第4面
K =-5.30543e-001  A 4=-4.97884e-005  A 6= 8.64046e-008  A 8=-1.07292e-009  A10= 2.58786e-012  A12=-8.73736e-015  
第7面
K =-1.70303e+001  A 4=-5.56641e-006  A 6=-8.94593e-009  A 8= 4.52877e-011  
第11面
K =-7.16492e+000  A 4= 2.35494e-005  
第25面
K =-1.00637e+000  A 4= 3.76353e-005  A 6=-2.11377e-007  A 8= 2.74801e-009  A10=-1.65806e-011  A12= 3.65686e-014  
各種データ
ズーム比      1.90 
焦点距離       9.21    13.56    17.52    15.85    11.22  
Fナンバー      3.37     4.08     4.63     4.40     3.72  
画角          55.94    45.14    37.88    40.69    50.54  
像高          13.63    13.63    13.63    13.63    13.63  
レンズ全長    99.51    99.51    99.51    99.51    99.51  
BF            15.42    14.27    14.03    14.04    14.73  
d 6            3.33     8.03     3.31     7.08     6.39  
d10           18.63     4.96     2.51     2.00    10.96  
d20            1.72     2.66     2.26     3.11     1.88  
d22            7.12    16.32    24.12    20.02    12.28  
d27           15.42    14.27    14.03    14.04    14.73  
ズームレンズ群データ
群  始面    焦点距離  
1    1     -27.65  
（数値実施例３）
単位 mm
面データ
面番号       r        d      nd         vd
1         51.329    2.27   1.80400    46.6           
2         22.441    7.08                             
3*        40.551    2.14   1.85135    40.1           
4*        11.505    5.91                             
5         23.120    5.80   1.85478    24.8           
6         92.783  (可変)                             
7*       -70.374    1.32   1.49700    81.5           
8         50.076    0.33                             
9         53.826    3.00   1.80610    33.3           
10        100.920  (可変)                             
11*        27.080    2.50   1.85135    40.1           
12       -228.860    2.38                             
13(絞り)    ∞       2.51                             
14       -225.493    0.88   1.80610    33.3           
15         10.272    2.95   1.59282    68.6           
16        -33.876    1.50                             
17         -7.854    1.00   1.74950    35.3           
18         -8.953    0.20                             
19         78.317    3.00   1.48749    70.2           
20        -14.783  (可変)                             
21         45.390    1.01   1.60311    60.6           
22         17.861  (可変)                             
23         58.702    2.50   1.69680    55.5           
24        350.823    1.24                             
25       -249.655    1.20   1.80518    25.4           
26        162.951    5.50   1.55332    71.7           
27*       -29.600  (可変)                             
像面        ∞   
非球面データ
第3面
K = 2.33912e+000  A 4=-1.42363e-005  A 6= 3.63739e-008  A 8=-1.40889e-010  A10= 1.10827e-013  
第4面
K =-5.30751e-001  A 4=-4.82664e-005  A 6= 8.81274e-008  A 8=-1.07600e-009  A10= 2.65195e-012  A12=-8.63460e-015  
第7面
K = 1.49287e+000  A 4=-1.09659e-006  A 6=-1.44934e-008  A 8= 1.81623e-011  
第11面
K =-7.80811e+000  A 4= 2.77666e-005  
第27面
K =-2.48639e+001  A 4=-4.33387e-005  A 6= 1.31861e-007  A 8= 2.03477e-009  A10=-1.89312e-011  A12= 4.68765e-014  
各種データ
ズーム比      1.90 
広角     中間     望遠
焦点距離       9.22    13.62    17.50  
Fナンバー      3.36     4.08     4.63  
画角          55.92    45.01    37.92  
像高          13.63    13.63    13.63  
レンズ全長    97.87    97.87    97.87  
BF            14.57    13.22    12.99  
d 6            3.60     8.96     3.57  
d10           18.63     4.34     2.62  
d20            1.16     3.26     3.23  
d22            3.68    11.87    19.23  
d27           14.57    13.22    12.99  
ズームレンズ群データ
群  始面    焦点距離  
1    1     -28.41  
2    7     -99.97  
3   11      20.43  
4   21     -49.51  
5   23      43.48  
以下に、本発明の好ましい実施の形態を、添付の図面に基づいて詳細に説明する。図１は本発明の実施形態にかかわる実施例１の断面図である。
【００５８】
（実施例１）
以下、図１を参照して、本発明の第1の実施例の構成について説明する。Ａ）、Ｂ）、Ｃ）はそれぞれ広角端、中間、望遠端を示す。該３ヶ所のズーム位置においては、第１群は像面に対して固定し、１、２群間隔はミドル域にかけて増大し、望遠域にかけて減少する。２、３群は減少し、３、４群間隔は広角端から中間にかけて増大し、中間から望遠端にかけて減少する。３、４群間隔望遠端における空気間隔は広角端よりも大きい。４、５群間隔は増大する。
【００５９】
（実施例２〜３）
以下、図２〜３において実施例２〜３の断面図を示す。実施例２〜３において基本的な間隔変化は実施例１と同様である。
【００６０】
実施例1〜３においては、第１群は固定し、第２群が像側に凸軌跡で往復移動する。
第３群第４群は物体側へ移動する。前記第５群は微小量物体側へ移動する。第５群は実施例１〜３においては微小量移動しているが、ズーミング中固定としても良い。又フォーカスは第４群を像側へ繰り込む事により行う構成である。
【００６１】
以上、本発明の好ましい実施形態について説明したが、本発明はこれらの実施形態に限定されず、その要旨の範囲内で種々の変形及び変更が可能である。
【００６２】
【表１】
2016191754.tif 000003
【符号の説明】
【００６３】
ｄ  ｄ線、ｇ  ｇ線、△Ｍ  メリディオナル像面
【図１】
2016191754.tif 000004
【図２】
2016191754.tif 000005
【図３】
2016191754.tif 000006
【図４Ａ】
2016191754.tif 000007
【図４Ｂ】
2016191754.tif 000008
【図４Ｃ】
2016191754.tif 000009
【図５Ａ】
2016191754.tif 000010
【図５Ｂ】
2016191754.tif 000011
【図５Ｃ】
2016191754.tif 000012
【図６Ａ】
2016191754.tif 000013
【図６Ｂ】
2016191754.tif 000014
【図６Ｃ】
2016191754.tif 000015